(57)【要約】【課題】  運転部の居住性や操向操作具の操作性を良い状態にしながら操縦塔を後方側に寄せることができる収穫機の運転部構造を提供する。【解決手段】  運転座席２１の前方に設けた操縦塔２４と、操縦塔２４の上面３１から上方に突出した操向操作具２６とを備えている。操縦塔２４の上面３１が、操向操作具２６が突出する操縦部位３１ａでの配置高さが高くなり、操縦部位３１ａよりも操縦塔横端側に位置する横端側部位３１ｂでの配置高さが低くなった段付き面になっている。【選択図】        図３
2008295405.tif 000002
【特許請求の範囲】
【請求項１】
運転座席の前方に設けた操縦塔と、前記操縦塔の上面から上方に突出した操向操作具とを備えた収穫機の運転部構造であって、
前記操縦塔の前記上面が、前記操向操作具が突出する操縦部位での配置高さが高くなり、前記操縦部位よりも操縦塔横端側に位置する横端側部位での配置高さが低くなった段付き面になっている収穫機の運転部構造。
【請求項２】
前記上面の前記操縦部位が前記操縦塔の機体横方向での一端部に位置し、
前記操縦塔の前記操縦部位が位置する横端側の下部に、運転部床に連なった空隙を形成する足元切り欠き部を設けてある請求項１記載の収穫機の運転部構造。
【請求項３】
前記操縦塔の機体横方向での内側の下部に、前記操縦塔と前処理部の装置部分との間隔を形成する切り欠き部を設けてある請求項１又は２記載の収穫機の運転部構造。
【請求項４】
前記操縦塔の下部の内側に、運転部床に連なった空隙を形成する足元凹入部を設けてある請求項１〜３のいずれか一項に記載の収穫機の運転部構造。
【請求項５】
前記上面の前記操縦部位が前記操縦塔の機体横外側での端部に位置し、
前記操縦塔の両横側に機体上下向きに位置する縦杆部と、前記一対の縦杆部の上端部を連結する機体横向きの横杆部とを有した固定ハンドルを備え、
前記一対の縦杆部のうちの機体横外側に位置する縦杆部が、前記操縦塔の前記操縦部位を備える部分に対して機体横外側に離間している請求項１〜４のいずれか一項に記載の収穫機の運転部構造。
【発明の詳細な説明】
【技術分野】
【０００１】
本発明は、運転座席の前方に設けた操縦塔と、前記操縦塔の上面から上方に突出した操向操作具とを備えた収穫機の運転部構造。
【背景技術】
【０００２】
上記した収穫機の運転部構造として、従来、例えば特許文献１に示されたものがあった。特許文献１に示された収穫機では、運転座席と操縦塔と運転レバーとを備えている。
操縦塔は、座席支持台の前側に位置する運転ステップの前端側に連設されており、運転座席の前方に位置している。
運転レバーは、操縦塔の上板部で支持されている。この運転レバーは、機体の操向操作を行う。
【０００３】
【特許文献１】特開２０００−９２９６２号公報（段落〔００２５〕、〔００２６〕、図１，２，３）
【発明の開示】
【発明が解決しようとする課題】
【０００４】
上記した収穫機において、操縦塔を機体後方側に寄せるほど、走行機体の前後長さが小になり、収穫機全体の前後長さを短くすることができる。この場合、運転座席と操縦塔との間隔が狭くなり、上記した従来の運転部構造に関する技術を採用したものにあっては、運転部の居住性あるいは操向操作具の操作性での問題が発生しやすくなっていた。
【０００５】
つまり、上記した従来の技術を採用すると、操縦塔の操向操作具が突出する部位での上面と、この部位の横側に位置する部位での上面とが同一の配置高さに位置する。
運転座席と操縦塔との間隔が狭くても、ひざがしらが操縦塔の上方に出た体勢で楽に着座することができるよう、操縦塔の上面の配置高さを低くすると、操縦塔の操向操作具が突出する部位での上面の配置高さも低くなる。操向操作具の揺れ動きが発生しにくいよう、あるいは操向操作具の揺動ストロークが大きくなり過ぎないよう、操向操作具の操縦塔上面からの突出長さを抑制すると、操向操作具の配置高さが低くなり、操向操作具を操作しにくくなる。
操向操作具の操縦塔上面からの突出長さを抑制しながら操向操作具の操作が容易になるようにするには、操縦塔の操向操作具が突出する部位での上面の配置高さを高くする必要がある。すると、操縦塔の操向操作具が突出する部位の横側に位置する部位での上面の配置高さも高くなって、ひざがしらを操縦塔の上方に出しにくくなり、脚を操縦塔の後側に収めた窮屈な体勢で着座せねばならない。
【０００６】
本発明の目的は、運転部の居住性や操向操作具の操作性を良い状態にしながら操縦塔を後方側に寄せることができる収穫機の運転部構造を提供することにある。
【課題を解決するための手段】
【０００７】
本第１発明は、運転座席の前方に設けた操縦塔と、前記操縦塔の上面から上方に突出した操向操作具とを備えた収穫機の運転部構造において、
前記操縦塔の前記上面が、前記操向操作具が突出する操縦部位での配置高さが高くなり、前記操縦部位よりも操縦塔横端側に位置する横端側部位での配置高さが低くなった段付き面になっている。
【０００８】
本第１発明の構成によると、操縦塔を後方側に寄せて運転座席と操縦塔との間隔が狭くなっても、ひざがしらを操縦塔の上方に出した着座体勢をとることができるよう、操縦塔上面の横端側部位での配置高さを低くすることができる。さらに、操向操作具の操縦塔上面からの突出長さを抑制しても、操向操作具の配置高さが高くなって操向操作具の操作が容易となるよう、操縦塔上面の操縦部位での配置高さを高くすることができる。
【０００９】
従って、運転部の居住性も操向操作具の操作性も良い状態にしながら操縦塔を後方側に寄せて走行機体の前後長さを短くし、運転部の居住性と操向操作具の操作性との面のみならず、走行機体の前後長さの面からも操縦や作業を行いやすい収穫機を得ることができる。
【００１０】
本第２発明では、前記上面の前記操縦部位が前記操縦塔の機体横方向での一端部に位置し、
前記操縦塔の前記操縦部位が位置する横端側の下部に、運転部床に連なった空隙を形成する足元切り欠き部を設けてある。
【００１１】
本第２発明の構成によると、操縦塔を後方側に寄せて運転座席と操縦塔との間隔が狭くなっても、空隙に足を入り込ませることにより、脚を極力伸ばした体勢で着座することができる。
【００１２】
従って、走行機体の前後長さでのコンパクト化を図っても、より楽な体勢で着座してより楽にかつ軽快に操縦や作業できる収穫機を得ることができる。
【００１３】
本第３発明では、前記操縦塔の機体横方向での内側の下部に、前記操縦塔と前処理部の装置部分との間隔を形成する切り欠き部を設けてある。
【００１４】
本第３発明の構成によると、操縦塔の前記切り欠き部による前記間隔の形成により、操縦塔と前処理部との干渉を回避しながら前処理部を走行機体に極力寄せて連結することができる。
【００１５】
従って、操縦塔を後方側に寄せて走行機体の前後長さを極力短くできることの他、前処理部を走行機体に極力寄せて連結できることからも収穫機全体の前後長さが短くなり、操縦や格納がより行いやすい収穫機を得ることができる。
【００１６】
本第４発明では、前記操縦塔の下部の内側に、運転部床に連なった空隙を形成する足元凹入部を設けてある。
【００１７】
本第４発明の構成によると、操縦塔を後方側に寄せて運転座席と操縦塔との間隔が狭くなっても、足を操縦塔の後側に置く際、足を操縦塔下部の空隙に入り込ませて脚を極力伸ばした着座体勢をとることができる。
【００１８】
従って、走行機体の前後長さでのコンパクト化を図っても、より楽な体勢で着座してより楽にかつ軽快に操縦や作業できる収穫機を得ることができる。
【００１９】
本第５発明では、前記上面の前記操縦部位が前記操縦塔の機体横外側での端部に位置し、
前記操縦塔の両横側に機体上下向きに位置する縦杆部と、前記一対の縦杆部の上端部を連結する機体横向きの横杆部とを有した固定ハンドルを備え、
前記一対の縦杆部のうちの機体横外側に位置する縦杆部が、前記操縦塔の前記操縦部位を備える部分に対して機体横外側に離間している。
【００２０】
本第５発明の構成によると、固定ハンドルを運転部に対する乗り降りの際の支えとして利用しやすい。
つまり、固定ハンドルの機体横外側の縦杆部が前記操縦塔部分から機体横外側に離間していることにより、その縦杆部を握る手を縦杆部と操縦塔部分との隙間に入り込ませ、縦杆部を握りやすい。
【００２１】
従って、運転部に対する乗り降りを、固定ハンドルを支えにして楽に行える。
【発明を実施するための最良の形態】
【００２２】
以下、本発明の実施例を図面に基づいて説明する。
図１は、本発明の実施例に係る収穫機の全体の左側面図である。図２は、本発明の実施例に係る収穫機の全体の平面図である。図３は、本発明の実施例に係る収穫機の正面図である。図４は、本発明の実施例に係る収穫機の全体の右側面図である。これらの図に示すように、本発明の実施例に係る収穫機は、左右一対のクローラ式の走行装置１，１によって自走する走行機体と、この走行機体の機体フレーム２の前部に連結された前処理部１０と、前記機体フレーム２の後側に走行機体横方向に並べて設けた脱穀装置３と穀粒タンク４とを備えて構成してある。
【００２３】
この収穫機は、稲、麦などを収穫するものである。
すなわち、走行機体は、前記左右一対の走行装置１，１を備える他、前記穀粒タンク４の前方に位置する運転座席２１が装備された運転部２０を備え、前記運転座席２１の下方に設けたエンジン５が装備された原動部を備えている。
【００２４】
前記前処理部１０は、前記機体フレーム２に前記運転部２０の横側方で上下揺動自在に支持されており、油圧シリンダ６によって上下に揺動操作されて、前処理部１０の前端部に走行機体横方向に並んで位置する分草具１１が地面近くに下降した下降作業状態と、前記分草具１１が地面から高く上昇した上昇非作業状態とに昇降する。
【００２５】
前処理部１０を下降作業状態にして走行機体を走行させると、前処理部１０は、前記分草具１１によって植立穀稈を刈り取り対象と非刈り取り対象とに分草し、各分草具１１からの刈り取り対象の植立穀稈を機体横方向に並ぶ一対の引起し装置１２，１２のうちの対応する引起し装置１２によって引起し処理するとともに一つのバリカン形の刈取り装置１３によって刈取り処理し、刈取り穀稈を供給装置１４によって機体後方向きに搬送して脱穀装置３の脱穀フィードチェーン３ａに供給する。
【００２６】
脱穀装置３は、脱穀フィードチェーン３ａによって刈取り穀稈の株元側を機体後方向きに挟持搬送しながら穂先側を扱室（図示せず）に供給して脱穀処理する。穀粒タンク４は、脱穀装置３からの脱穀粒を供給されて貯留する。
【００２７】
図２，３，４に示すように、前記運転部２０は、前記運転座席２１を備える他、機体フレーム２の前端部に板体を付設して設けた運転部床２２と、この運転部床２２の後側に設けた座席支持台２３と、前記運転座席２１の前方に配置して前記機体フレーム２に立設した操縦塔２４とを備えて構成してある。前記座席支持台２３は、エンジンボンネットを兼ねている。運転部床２２から突出している注油口２５は、エンジン用の燃料タンクに燃料供給するものである。
【００２８】
前記運転部２０は、これの機体横外側の端部に前記座席支持台２３と前記操縦塔２４との間に配置して設けた乗降口と、前記操縦塔２４の機体横外側端部に操縦用に位置する部分３０（以下、操縦部分３０と称する。）に設けたレバー形の操向操作具２６と、前記操縦塔２４から上方に突出した固定ハンドル２７と、前記運転部床２２の前端側の横端部に設けたブレーキペダル２８とを備えている。
【００２９】
前記操向操作具２６は、機体横方向に揺動操作自在に支持されるとともに前記操縦部分３０の内部に収容した操作機構（図示せず）を介して左右一対の操向クラッチ（図示せず）に連係している。
すなわち、前記操向操作具２６は、揺動操作されることにより、左右一対の操向クラッチを操向操作具２６の操作位置に対応した入り状態と切り状態とに切り換え操作し、これによって前記左右一対の走行装置１，１を停止状態と駆動状態とに切り換え操作して走行機体を直進するよう、あるいは左向きや右向きに旋回するよう操向操作する。
【００３０】
前記操向操作具２６は、操縦塔２４の上面３１のうちの前記操縦部分３０に位置する操縦部位３１ａから上方向きに突出している。
【００３１】
図５は、操縦塔２４の機体前方側から見た斜視図である。図６は、操縦塔２４の機体後方側から見た斜視図である。図７は、操縦塔２４の正面図である。これらの図に示すように、操縦塔２４の前記上面３１は、これの前記操縦部位３１ａでの配置高さが高くなり、この操縦部位３１ａよりも操縦塔横端側でかつ走行機体内側に位置する横端側部位３１ｂでの配置高さが低くなった段付き面になっている。
つまり、操縦塔２４の前記操縦部分３０での上面３１ａの配置高さが高くなり、操縦塔２４の前記操縦部分３０よりも操縦塔横側でかつ走行機体内側に位置する横側部分３５での上面３１ｂの配置高さが低くなっている。これにより、段付き上面３１は、ひざがしらを操縦塔２４の上面３１における前記横端側部位３１ｂの上方に出した体勢で着座することを可能にし、かつ、操向操作具２６の前記操縦部位３１ａからの突出長さを長くせずに操向操作具２６を操作しやすい高さに配置している。
【００３２】
前記操縦塔２４は、これの機体横外側での下部に設けた足元切り欠き部３２を備えている。この足元切り欠き部３２は、操縦塔２４の前記操縦部分３０の下方に、機体横外側に向かって開口するとともに運転部床２２に連なった空隙Ｓ１を形成し、この空隙Ｓ１に足を入れることによって、脚を極力伸ばした体勢で着座できるようにしている。
【００３３】
前記ブレーキペダル２８は、前記空隙Ｓ１に足を位置させた体勢で操作できるようこの空隙Ｓ１に位置している。
【００３４】
前記操縦塔２４は、これの下部の内側に設けた足元凹入部３３を備えている。この足元凹入部３３は、操縦塔２４の下部の内側で機体後方向きに向かって開口するとともに運転部床２２に連なった空隙Ｓ２を形成し、この空隙Ｓ２に足を入れることによって、脚を極力伸ばした体勢で着座できるようにしている。
【００３５】
前記操縦塔２４は、これの機体横方向での内側の下部に設けた切り欠き部３４を備えている。図８は、操縦塔２４の横断面図である。この図に示すように、前記切り欠き部３４は、前処理部１０が備える係止搬送ベルト１５と操縦塔２４との間隙を形成している。前記係止搬送ベルト１５は、前記複数の分草具１１のうちの運転部１０の前方に位置する分草具１１からの植立穀稈の株元側を刈取り装置１３に係止搬送し、かつ刈取り処理された穀稈の株元側を前記供給装置１４に係止搬送する。
つまり、前記切り欠き部３４は、刈取り部１０の装置部分としての前記係止搬送ベルト１５と、操縦塔２４との干渉を回避し、前処理部１０を走行機体に極力寄った配置にしている。
【００３６】
図５，７に示すように、前記固定ハンドル２７は、操縦塔２４の両横側に機体上下向きに位置する縦杆部２７ａと、前記一対の縦杆部２７ａ，２７ａの上端部を連結する機体横向きの横杆部２７ｂとを備えている。
【００３７】
前記一対の縦杆部２７ａ，２７ａのうちの機体横外側に位置する縦杆部２７ａは、操縦塔２４の前記操縦部分３０に対して機体横外側に離間し、縦杆部２７ａと前記操縦部分３０との間に縦杆部２７ａを握る手を入り込ませる隙間を形成している。
【００３８】
図５，６に示すように、前記操縦塔２４は、前記機体フレーム２に立設された左右一対の鋼管材でなるメインフレーム３６，３６と、前記左右一対のメインフレーム３６，３６を連結する連結フレーム３７と、この連結フレーム３７と前記メインフレーム３６とに連結された裏側板金材３８と、前記メインンフレーム３６と前記裏側板金材３８と前記運転部床２２の前端部とに連結された表側板金材３９と、前記表側板金材３９と前記裏側板金材３８との上端部に装着された蓋体４０とを備えて構成してある。
【００３９】
すなわち、操縦塔２４の前記操縦部分３０は、表側板金部材３９に設けた膨出部３９ａと、裏側板金部材３８に設けた膨出部３８ａと、前記蓋体４０とによって構成してある。走行機体の前方及び分草具１１の付近を照射する前照灯４１が、操縦塔２４の操縦部分３０（膨出部３９ａ）に備えられている。
【００４０】
操縦塔２４の上面３１における前記操縦部位３１ａは、前記蓋体４０の表面によって構成されている。操縦塔２４の上面３１における前記横端側部位３１ｂは、前記表側板金部材３９の前記膨出部３９ａの横側に位置する部位の上向き端面によって構成されている。
【００４１】
操縦塔２４の前記足元切り欠き部３２は、前記表側板金部材３９の機体横外側縁を操縦塔２４の下端側で機体内側に入り込んだ段付き縁に形成することによって構成してある。
【００４２】
操縦塔２４の前記切り欠き部３４は、前記表側板金部材３９の機体内側部分に傾斜部を備えることによって構成してある。
【００４３】
操縦塔２４の前記足元凹入部３３は、表側板金部材３９に溝形の横断面形状を備えさせることによって表側板金部材３９が裏面側に備える空洞部によって構成してある。
【００４４】
前記固定ハンドル２７は、操縦塔２４の左右一対のメインフレーム３６，３６を構成する屈曲鋼管材の操縦塔２４から上方に突出した部分によって構成してある。
【図面の簡単な説明】
【００４５】
【図１】収穫機の全体の左側面図
【図２】収穫機の全体の平面図
【図３】収穫機の正面図
【図４】収穫機の全体の右側面図
【図５】操縦塔の斜視図
【図６】操縦塔の斜視図
【図７】操縦塔の正面図
【図８】操縦塔の横断面図
【符号の説明】
【００４６】
１５        前処理部の装置部分
２１        運転座席
２２        運転部床
２４        操縦塔
２６        操向操作具
２７        固定ハンドル
２７ａ      固定ハンドルの縦部分
２７ｂ      固定ハンドルの横部分
３０        操縦塔の部分
３２        足元切り欠き部
３３        足元凹入部
３４        切り欠き部
Ｓ１      足元切り欠き部によって形成される空隙
Ｓ２      足元凹入部によって形成される空隙
【図１】
2008295405.tif 000003
【図２】
2008295405.tif 000004
【図３】
2008295405.tif 000005
【図４】
2008295405.tif 000006
【図５】
2008295405.tif 000007
【図６】
2008295405.tif 000008
【図７】
2008295405.tif 000009
【図８】
2008295405.tif 000010